(57)【要約】      （修正有）【課題】開口部のフレーム、サッシ周りの内装壁、開口枠等を解体することなく、既存サッシを新規サッシに短納期で簡易に交換することができるサッシの交換方法及び構造を提供する。【解決手段】既存開口枠１７と既存サッシ周囲の外壁構造１０を残存させたまま既存サッシを撤去し、新規開口枠２３を既存開口枠に重ね合わせて貼付し、既存サッシに比べ開口枠取付片の内法寸法が小さな新規サッシ２２を、残存した外壁構造に取付けることにより、既存サッシを新規サッシに交換できる、サッシ交換構造とする。【選択図】図４
2010024683.tif 000002
【特許請求の範囲】
【請求項１】
既存サッシを新規サッシに交換する方法において、
（ａ）既存開口枠と既存サッシ周囲の外壁構造を残存させたまま前記既存サッシを撤去する工程と、
（ｂ）前記既存サッシに比べ開口枠取付片の内法寸法が小さな新規サッシを準備する工程と、
（ｃ）前記既存サッシと前記新規サッシの開口枠取付片の内法寸法の差に対応した厚みを有するカバー式の新規開口枠を前記既存開口枠に重ね合わせて貼付する工程と、
（ｄ）前記新規サッシを前記残存した外壁構造に取付ける工程と
を具備してなる方法。
【請求項２】
工程（ｃ）において、前記新規開口枠と前記既存開口枠との間に、弾力性を有する接着層を介在させることを特徴とする請求項１に記載の方法。
【請求項３】
前記既存開口枠の室内側端部は、内装壁表面から突出した構成であり、前記新規開口枠は、前記既存開口枠の露出面を覆う略Ｊ字状断面を有することを特徴とする請求項１又は２に記載の方法。
【請求項４】
既存サッシ撤去後に残存する既存開口枠と、
前記既存サッシに代わって取付けられた、前記既存サッシの開口枠取付片の内法寸法より所定寸法小さな開口枠取付片の内法寸法を有する新規サッシと、
前記既存サッシと前記新規サッシの開口枠取付片の内法寸法の差に対応した厚みを有し前記既存開口枠に重ね合わせて貼付されたカバー式の新規開口枠と、
を具備してなるサッシの交換構造。
【請求項５】
前記新規開口枠と前記既存開口枠との間に、弾力性を有する接着層が介在されたことを特徴とする請求項４に記載のサッシの交換構造。
【請求項６】
前記既存開口枠の室内側端部は、内装壁表面から突出した構成であり、前記新規開口枠は、前記既存開口枠の露出面を覆う略Ｊ字状断面を有することを特徴とする請求項４又は５に記載のサッシの交換構造。
【発明の詳細な説明】
【技術分野】
【０００１】
本発明は建物の既存サッシを新規サッシに交換するサッシの交換方法及びサッシの交換構造に関する。
【背景技術】
【０００２】
住宅などの建物の改築工事等において、建物外周部の開口部に設けられた既存サッシを新規サッシに交換することがしばしば行われる。鉄骨軸組に対し軽量気泡コンクリートパネルからなる外壁を取付けて構成された建物では、例えば特許文献１に記載のように開口部の周囲にフレームが配置されており、既存サッシは該フレームに取り付けられた状態となっている。このような構成の建物の場合、サッシ周りの軒天、シーリング、石膏ボードにクロスを貼付するなどして構成された内装壁、木下地、開口枠を順次解体して既存サッシを開口部のフレームごと撤去し、新規サッシを取付けた後、木下地、開口枠、内装壁、軒天、シーリングを復旧させていく工法を採用することができ、このような工法によれば新築同様の仕上がりが得られる。しかし、この工法では、工事内容が大規模になるため、工期が長くかかり、コストが嵩むという問題があった。
【０００３】
そこで、既存サッシのサッシ枠は撤去するが、開口部のフレームは残して新規サッシ枠に取り替える簡易な工法が採られることもある。しかし、かかる工法においても、従来は、サッシ枠の解体時に、サッシ周りの内装壁、木下地、開口枠を解体し、また新規サッシ枠の取付け後、木下地、開口枠、内装壁を取付けていたため、相応の工期、コストが必要であった。
【０００４】
また上記工法において、内装壁、木下地、開口枠を解体せずに、既存サッシ枠のみを撤去することは可能であるが、新規サッシ枠と既存開口枠との納まりが悪く、隙間が発生してしまうという問題があった。
【０００５】
なお、本発明に関連する先行技術としては特許文献２が知られている。しかし、特許文献２は、電磁波の浸入や漏洩を防止するための電磁波遮断構造に関するもので、サッシの交換方法や交換されたサッシ構造に関するものではない。また、サッシ取付構造に特許文献２の構造を利用したとしても、カバー材を開口枠及び／又は壁にねじにより固着するために、新規開口枠にねじ頭が露出してしまい、美観を損ねるという問題がある。
【特許文献１】実公昭５７−２４８１３号公報
【特許文献２】特開平７−０９４８９３号公報
【発明の開示】
【発明が解決しようとする課題】
【０００６】
本発明は、上記事情に鑑みてなされたもので、開口部のフレーム、サッシ周りの内装壁、木下地、開口枠を解体することなく、既存サッシを新規サッシに短納期でかつ簡易に交換することができるサッシの交換方法を提供することを目的とする。
本発明はまた前記サッシの交換方法によって交換されたサッシの交換構造を提供することも目的とする。
【課題を解決するための手段】
【０００７】
第一の発明によれば、既存サッシを新規サッシに交換する方法において、
（ａ）既存開口枠と既存サッシ周囲の外壁構造を残存させたまま前記既存サッシを撤去する工程と、
（ｂ）前記既存サッシに比べ開口枠取付片の内法寸法が小さな新規サッシを準備する工程と、
（ｃ）前記既存サッシと前記新規サッシの開口枠取付片の内法寸法の差に対応した厚みを有するカバー式の新規開口枠を前記既存開口枠に重ね合わせて貼付する工程と、
（ｄ）前記新規サッシを前記残存した外壁構造に取付ける工程と
を具備してなる方法が提供される。
【０００８】
ここで、サッシとは、建物の内外を区画する窓ガラスを直接あるいは間接的に保持する枠のことをいう。間接的に保持する場合とは、例えば窓ガラスが開閉するタイプの場合であり、サッシは窓ガラスを直接保持するのではなく窓ガラス周囲の框を保持する。
また、開口枠とは、サッシの室内側の周縁部に沿って取り付けられ内装壁とサッシとを見切る部材であり、通常は略長方形断面の木質系あるいは合成樹脂系の長尺の材料からなる。そして断面長手方向が外壁面と直角をなすようにロ字状に組み合わせて、室内側の端部が内装壁面から突出するように設置される。
また、外壁構造とは、建物の外周部に設けられた外壁自体と、外壁に付帯したサッシが設置される外壁の開口部近傍の付帯構造、例えば、外壁の開口部周縁（外壁と開口部との境界部分）に沿って設けられたフレームなどを含む。
第一の発明では、既存開口枠と外壁構造を残存させるが、既存開口枠に新規開口枠を重ね合わせて貼付するので、開口枠にビス等の金具が露出することはなく、良好な美観が保てる。
【０００９】
第二の発明によれば、第一の発明の工程（ｃ）において、前記新規開口枠と前記既存開口枠との間に、弾力性を有する接着層を介在させることを特徴とする方法が提供される。
ここで、接着層は、化学硬化型接着剤や発泡接着剤等、任意の接着剤を、既存開口枠と新規開口枠の間に何らかの手段で介在させたものであり、接着剤のテープを用いても流動性のある接着剤を用いても構わない。また新規開口枠と既存開口枠との間に接着層を介在させる具体的方法は任意であり、接着剤のテープを用いる場合は、既存開口枠の表面に全面に亘って接着剤テープを貼付していき、その上から新規開口枠を被覆することが可能であり、流動性のある接着剤を用いる場合には、既存開口枠と新規開口枠との間にスペーサを介在させ、形成された間隙に接着剤を注入していくことができる。
第二の発明では、接着層により新規開口枠を既存開口枠に取付けているので、新規開口枠の表面に取付ビス等が露出するおそれはなく、良好な美観が担保される。また、接着層は弾力性を有するため、施工に起因する寸法誤差を吸収することができるので新規開口枠の納まりが良好である。
【００１０】
第三の発明によれば、第一又は第二の発明において、前記既存開口枠の室内側端部は、内装壁表面から突出した構成であり、前記新規開口枠は、前記既存開口枠の露出面を覆う略Ｊ字状断面を有することを特徴とするサッシ交換方法が提供される。
第三の発明では、新規開口枠の断面形状を既存開口枠の露出部分に対応させて略Ｊ字状としたので、容易に既存開口枠を覆い隠すことができ、手間をかけずに良好な美観を確保することができる。
【００１１】
第四の発明によれば、既存サッシ撤去後に残存する既存開口枠と、
前記既存サッシに代わって取付けられた、前記既存サッシの開口枠取付片の内法寸法より所定寸法小さな開口枠取付片の内法寸法を有する新規サッシ枠と、
前記既存サッシと前記新規サッシの開口枠取付片の内法寸法の差に対応した厚みを有し前記既存開口枠に重ね合わせて貼付されたカバー式の新規開口枠と、
を具備してなるサッシの取付け構造が提供される。
第四の発明では、既存開口枠等を撤去することなく新規サッシを取付けた構造としているので、施工が簡易であり、コストを抑えることができる。
【００１２】
第五の発明によれば、第四の発明において、前記新規開口枠と前記既存開口枠との間に、弾力性を有する接着層が介在されたことを特徴とする構造が提供される。
新規開口枠と既存開口枠の間に、弾力性を有する接着層を介在させたので、新規開口枠の表面には取付ビス等の露出はなく、また既存開口枠に施工に起因する寸法誤差を吸収することができるので新規開口枠の納まりが良好で、美観が担保される。
【００１３】
第六の発明によれば、第四又は第五の発明において、前記既存開口枠の室内側端部は、内装壁表面から突出した構成であり、前記新規開口枠は、前記既存開口枠の露出面を覆う略Ｊ字状断面を有することを特徴とするサッシの交換構造が提供される。
第六の発明では、新規開口枠の断面形状を既存開口枠の露出部分に対応させて略Ｊ字状としたので、容易に既存開口枠を覆い隠すことができ、手間をかけずに良好な美観を確保することができる。
【発明の効果】
【００１４】
本発明に係るサッシ交換方法及びサッシ構造によれば、開口枠、内装壁、木下地等を撤去しないで新規サッシを取付けていくので、良好な美観を確保しながらも、施工が簡易であり、コストを抑えることができる。
【発明を実施するための最良の形態】
【００１５】
本発明に係るサッシ交換方法は、如何なる用途の建物に設備されたサッシに対してでも実施されうるが、通常は住宅に設備されたサッシについて、該住宅の改築等の際に実施される。そのような住宅の建築様式についても任意であるが、より好ましくは、鉄骨を組み合わせて構築される鉄骨造の架構と、該架構に取付けられる軽量気泡コンクリートパネル（以下、ＡＬＣパネルという）等からなる外壁構造を備えた工業化住宅が対象とされ、例えば外壁に開口部が形成され、その開口部にサッシが取付けられている。本発明に係るサッシ交換方法は、かかる開口部に設備された既存サッシを新規サッシに簡便に交換するのに適している。
以下、図面を参照して、本発明のサッシ交換方法に係る好ましい実施形態を説明する。
【００１６】
図１〜２は、戸建住宅の外壁の開口部に既存サッシが取付けられている状態を示すもので、図１は縦断面図、図２は平断面図である。外壁１０は、長尺のＡＬＣパネルが複数並列状に並べて形成されてなり、布基礎上に設置された梁等の架構に自重受け金具や稲妻プレート等の金物を介して支持され、窓が形成される部分にはその上下に短尺のＡＬＣパネルが並べられて正面視矩形の開口部１１が画成されている。
【００１７】
すなわち、開口部１１とされる外壁部分には、開口部１１の左右幅に相当する一定間隔を左右方向に保ってアングル形鋼からなる竪枠１２（一方のみを図示）が設けられている。図示は省略するが、竪枠１２の下端は布基礎まで延び、その下端間に連結された横桟が布基礎上の受鋼材上にモルタル、ボルト等によって固定される一方、竪枠１２の上端は、Ｈ型鋼からなる梁鉄骨近傍まで延び、その上端間に連結された横桟が梁鉄骨に沿設された受鋼材にボルト等によって固定されている。
【００１８】
また、竪枠１２の上下方向の間には、鋼材を成形してなる上フレーム１３ａと下フレーム１３ｂが、開口部１１の上下幅に相当する一定間隔を上下方向に保ち、各両端を竪枠１２に固定されて連結されている。そして、開口部１１の下側の短尺ＡＬＣパネルは、下端が布基礎側の横桟上に載置され上端が下フレーム１３ｂと取付片１４によって固定される一方、開口部１１の上側の短尺ＡＬＣパネルは、下端が上フレーム１３ａに保持され、上端が梁側の横桟と受鋼材に取り付けられた取付片（不図示）によって挟持されて固定されている。
また、竪枠１２の上フレーム１３ａと下フレーム１３ｂの間には、左右の側フレーム１３ｃが設けられ、該左右の側フレーム１３ｃと上下フレーム１３ａ、１３ｂが相互に連結されて、開口部１１に設置されたフレーム１３となっている。
【００１９】
サッシ（既存サッシ）１５は、通常はアルミ製であり、上サッシ枠１５ａと、下サッシ枠１５ｂと、該上下サッシ枠１５ａ、１５ｂに連設された左右の側サッシ枠１５ｃからなり、各サッシ枠１５ａ、１５ｂ、１５ｃの外縁側（開口部と反対側）が各フレーム１３ａ、１３ｂ、１３ｃの内縁側（開口部側）に固定されている。そして、サッシ１５に、サッシ開閉窓本体１６が摺動可能に取付けられている。
【００２０】
また、開口部１１の上記フレーム１３よりも室内側にずれた位置には、上枠１７ａと、下枠１７ｂと、該上下枠１７ａ、１７ｂに連結された左右の側枠１７ｃからなり開口部１１及びフレーム１３よりも小さい枠体からなる開口枠（既存開口枠）１７が配設されている。既存開口枠１７は、ロ字状に組み立てたのちに室内側に突出したサッシの開口枠取付片１８にビス止めされて固定されている。
また、既存開口枠１７の室内側端部には、壁面に沿って配設される内装壁１９が取付けられている。なお、図中、２０は柱、２１はシーリング材である。
【００２１】
図１〜２に示したサッシ構造において、既存サッシ１５を新規サッシ２２に交換するための本発明の方法は、
（ａ）既存開口枠１７と既存サッシ周囲の外壁構造を残存させたまま既存サッシ１５を撤去する工程と、
（ｂ）既存サッシ１４に比べ開口枠取付片の内法寸法が小さな新規サッシ２２を準備する工程と、
（ｃ）既存サッシ１４と新規サッシ２２の開口枠取付片の内法寸法の差に対応した厚みを有するカバー式の新規開口枠２３を既存開口枠１７に重ね合わせて貼付する工程と、
（ｄ）新規サッシ２２を外壁構造であるフレーム１３に取付ける工程
を含む。以下、各工程を詳細に説明する。
【００２２】
既存サッシ撤去工程（ａ）：
この工程では、開閉窓本体１６を既存サッシ１５から取り外した後、既存サッシ１５を解体、撤去する。窓の上方部に欄間が設けられている場合は、欄間も撤去する。既存サッシ１５の解体は、サンダー、バール等を用いて各サッシ枠１５ａ、１５ｂ、１５ｃやシーリング材２１を、フレーム１３及び既存開口枠１７から引き剥がしていくことにより実施するが、フレーム１３と既存開口枠１７は、内装壁１９と共にそのまま残す。なお、開口枠取付片１８のビスを緩めることで既存サッシ１５と既存開口枠１７とは容易に分離することができる。
すなわち、従来のサッシ交換方法においては、サッシ枠１５ａ、１５ｂ、１５ｃだけでなく、フレーム１３や既存開口枠１７も撤去し、場合によっては、内装壁１９や更には周辺部材も解体撤去していたが、本発明の方法では、サッシ枠１５ａ、１５ｂ、１５ｃをシーリング材２１と共に撤去解体するだけである。
図３〜４は、既存サッシ１５を新規サッシ２２に交換した後の状態を示すもので、図３は縦断面図、図４は平断面図であるが、フレーム１３、既存開口枠１７、内装壁１９等は、サッシ交換前のものがそのまま残されている。
【００２３】
新規サッシ準備工程（ｂ）：
既存サッシ１５に代えて取付ける新規サッシ２２は、通常は既存サッシ１５よりも性能の優れたものとなり、細部の仕様が既存サッシ１５と異なると共に、既存サッシ１５に比べ開口枠取付片１８の内法寸法が小さなサッシが選択され準備される。この新規サッシ２２は、工程（ｃ）において取付けられる新規開口枠２３の寸法に合うように予め製作されている。すなわち、新規サッシ２２は、既存サッシ１５と同様に、上サッシ枠２２ａと、下サッシ枠２２ｂと、該上下サッシ枠２２ａ、２２ｂに連設された左右の側サッシ枠２２ｃからなり、フレーム１３と新規開口枠２３の間に取付けられるが、フレーム１３に取付けられる部位は、既存サッシ１５と同じ構造を有しているか又は既存サッシ１５の場合と同様にしてフレーム１３に取付け可能な構造を有しており、また枠体の幅が拡大されて、開口枠取付片２５の内法寸法が小さく製作されている。更に、その内周縁側は、新規開口枠２３の外壁側端部を端面側から被覆することができるように成形されている。
【００２４】
新規開口枠貼付工程（ｃ）：
この工程では、既存開口枠１７にカバー式の新規開口枠２３を重ね合わせ、その間に接着剤２６を介在させて新規開口枠２３を既存開口枠１７に貼付する。
既存開口枠１７は、上下枠１７ａ、１７ｂ及び左右の側枠１７ｃとも、横断面長方形の板状木材からなり、図１〜２から分かるように、互いに対向する内周面と、室内側の端面と、内周面とは反対側の背面を有し、背面の室内側端部より若干室外側に位置する箇所に内装壁１９が取付けられている。新規開口枠２３は、既存開口枠１７の上に被せた状態で、このような既存開口枠１７の室内側に露出している部分が全体的に被覆されるような形状に形成されている。すなわち、新規開口枠２３は、既存開口枠１７の上枠１７ａ、下枠１７ｂ、左右の側枠１７ｃに対応して、上枠部材２３ａ、下枠部材２３ｂ、左右の側枠部材２３ｃからなると共に、横断面視で略Ｊ字状の屈曲した板材からなり、既存開口枠１７の内周面に対向させられる内面部２４ａと、既存開口枠１７の室内側端面に対向させられる室内側端面部２４ｂと、既存開口枠１７の背面で室内に露出している部分に対向させられる背面部２４ｃとを有している。新規開口枠２３は、既存開口枠１７よりは若干大きな寸法で製作され、新規開口枠２３を既存開口枠１７の上に被せた状態で、既存開口枠１７と新規開口枠２３の間、つまり既存開口枠１７の内周面と新規開口枠２３の内面部２４ａとの間、既存開口枠１７の室内側端面と新規開口枠２３の室内側端面部２４ｂとの間、既存開口枠１７の背面と新規開口枠２３の背面部２４ｃとの間には、一定の間隙が生じ、また新規開口枠２３の背面部２４ｃの端面は内装壁１９に当接させられる一方、新規開口枠２３の内面部２４ａの外壁側端面は、既存開口枠１７の外壁側端面と同一面内に位置する寸法に設定されている。
【００２５】
新規開口枠２３の既存開口枠１７への取付け方法は、使用する接着剤２６の種類によって異なる。すなわち、接着剤２６として流動性のある接着剤を利用する場合は、既存開口枠１７と新規開口枠２３の間に複数のスペーサ（図示せず）を介在させながら、新規開口枠２３を既存開口枠１７の上に被せる。ついで、スペーサによって形成された新規開口枠２３と既存開口枠１７の間の間隙に、適当な注入器を用いて接着剤２６を注入していく。接着剤２６の注入場所、注入方法等は任意であり、新規開口枠２３と既存開口枠１７の間の間隙に接着剤２６が満遍なく行き渡るか、もしくは新規開口枠２３が既存開口枠１７に強固に固定される程度に注入されるならば、如何なる方法を使用してもよい。通常は、既存開口枠１７の外壁側端部と新規開口枠２３の外壁側端部の間隙から、接着剤２６を注入していき、好ましくは内装壁１９の十分近傍まで接着剤２６が行き渡るように、注入圧等を調節して注入する。接着剤２６は所定時間で硬化し、新規開口枠２３と既存開口枠１７との間に、弾力性を有する接着層が形成される。
【００２６】
このような方法において使用する接着剤２６としては、特に限定するものではなく、様々な種類のものがあるが、膨張型接着剤、なかでも一液性湿気硬化型ウレタン樹脂系接着材、二液性発泡ウレタン樹脂系接着材を使用することができ、また適切な硬化時間のものを選択することができる。
また、接着剤２６の代わりに接着テープを使用することも可能であり、そのような場合は、既存開口枠１７の上の全面もしくは部分的に接着テープを貼り付けていき、その上から、新規開口枠２３を被せ、接着テープによって新規開口枠２３を既存開口枠１７に固定する。このような接着テープとしては、建築分野で常用されている任意のものを選択することができるが、例えばブチルテープを使用することができる。
また、新規開口枠２３が形成されたところで、新規開口枠２３と内装壁１９との間に不陸があれば、コークボンド等を用いて隙間を埋め、不陸を是正する。
【００２７】
新規サッシ取付工程（ｄ）：
上記のようにして新規開口枠２３を既存開口枠１７に被せ、接着剤２６が硬化して新規開口枠２３が固定されたところで、工程（ｄ）において、新規サッシ２２を新規開口枠２３に取付ける。より詳細には、前述のように、新規サッシ２２のフレーム１３に取付けられる部位は、既存サッシ１５と同じ構造を有しているか又は既存サッシ１５の場合と同様にしてフレーム１３に取付け可能な構造を有しており、内周縁側は、新規開口枠２３の外壁側端部（既存開口枠１７と新規開口枠２３の端部）を端面側から被覆することができるように成形されている。
従って、新規サッシ２２は、ビス等の締結手段によって、左右の側サッシ枠２２ｃの外周面側を、外壁構造であるフレーム１３の左右の側フレーム１３ｃにそれぞれ締結し、上下サッシ枠２２ａ、２２ｂの開口部１１側とは反対側を上下フレーム１３ａ、１３ｂにそれぞれ締結する。
なお、上記において、新規開口枠貼付工程（ｃ）と新規サッシ取付工程（ｄ）の施工順序は、逆転させても構わない。
【００２８】
また、前記新規サッシ取付工程が終了した後に、更に次の付帯工事がなされるが、この作業は順不同である。
（１）各サッシ枠２２ａ、２２ｂ、２２ｃの開口枠取付片２５に各既存開口枠１７ａ、１７ｂ、１７ｃと一体化された各新規開口枠２３ａ、２３ｂ、２３ｃの外壁側端部をビス等によって固定する。
（２）新規サッシ２２の取付けた後には、新たなシーリング材２１も施していく。
（３）新規サッシ２２の取付けが終わったところで、新規サッシ２２に寸法等の仕様が合致したサッシ開閉窓本体２７を摺動可能に取付ける。
【００２９】
以上のように、本発明に係るサッシ交換方法によれば、既存サッシ１５を撤去するのみで、フレーム１３や既存開口枠１７、内装壁１９を解体せずに残すことができるので、施工工事内容が簡易で、工期を短縮でき、コストも低く抑えることができる。
また、新規開口枠２３の形成に際しては、新規開口枠２３と既存開口枠１７との間に接着剤２６を注入等して弾力性のある接着層を形成するので、接着層の変形により、既存開口枠１７の施工誤差が吸収され、既存開口枠１７と新規開口枠２３との隙間が調整される。よって、新規サッシ２２と新規開口枠２３を綺麗に納めることができる。
また、新規開口枠２３は既存開口枠１７に接着剤２６により接着固定し、新規サッシ２２以外は新規開口枠２３にビス固定しないため、美観が良好である。
更に、新規開口枠２３が既存開口枠１７を包み込む断面略Ｊ字状の形状であるため、接着層が露出しないし、部材納まりも良好である。
【００３０】
以上、本発明に係るサッシ交換方法について説明したが、本発明は、かかるサッシ交換方法によって新規サッシに交換されたサッシ交換構造にも関する。
すなわち、本発明の更なる好ましい実施形態は、図３〜４に示されるサッシ構造である。該サッシ構造は、既存サッシ撤去後に残存する既存開口枠１７と、既存サッシ１５に代わって取付けられた、既存サッシ１５の開口枠取付片１８の内法寸法より所定寸法小さな開口枠取付片２５の内法寸法を有する新規サッシ２２と、既存サッシ１５と新規サッシ２２の開口枠取付片２５の内法寸法の差に対応した厚みを有し既存開口枠１７に重ね合わせて貼付されたカバー式の新規開口枠２３とを具備し、新規開口枠２３と既存開口枠１７の間には間隙が形成され、該間隙に接着剤２６が注入等されて接着層が介在せしめられている。
このようなサッシ交換構造は、交換工事が短納期で簡易である上に、各部材の取合いを綺麗に納めることができ、またビスや接着剤等が露出しないため、美観に優れたものとなる。
【００３１】
なお、本発明に係るサッシ交換方法及び構造は、上記実施形態において説明した住宅構造や窓部構造に適用が限定されるものではなく、既存開口枠やフレームなどを残しながら新規サッシを取付けることができる構造である限り、他の構造に広く適用可能であることは言うまでもない。
【図面の簡単な説明】
【００３２】
【図１】サッシ交換前のサッシ取付け構造を示す開口部の縦断面図である。
【図２】図１の平断面図である。
【図３】サッシ交換後のサッシ取付け構造を示す開口部の縦断面図である。
【図４】図３の平断面図である。
【符号の説明】
【００３３】
１０        外壁
１１        開口部
１２        竪枠
１３        フレーム
１３ａ      上フレーム
１３ｂ      下フレーム
１３ｃ      側フレーム
１４        取付片
１５        サッシ（既存サッシ）
１５ａ      上サッシ枠
１５ｂ      下サッシ枠
１５ｃ      側サッシ枠
１６、２７  サッシ開閉窓本体
１７        開口枠（既存開口枠）
１７ａ      上枠
１７ｂ      下枠
１７ｃ      側枠
１８、２５  開口枠取付片
１９        内装壁
２０        柱
２１        シーリング材
２２        新規サッシ
２２ａ      上サッシ枠
２２ｂ      下サッシ枠
２２ｃ      側サッシ枠
２３        新規開口枠
２３ａ      上枠部材
２３ｂ      下枠部材
２３ｃ      側枠部材
２４ａ      内面部
２４ｂ      室内側端面部
２４ｃ      背面部
２６        接着剤
【図１】
2010024683.tif 000003
【図２】
2010024683.tif 000004
【図３】
2010024683.tif 000005
【図４】
2010024683.tif 000006